(57)【要約】【課題】採血作業者の身長差によらず身体的な負担を抑えながら表示部の表示面を良好に視認することができる採血装置を提供する。【解決手段】採血装置１０は、血液バッグ２００を収容する筐体１４の外側面に表示部（ディスプレイ）２６が位置し、負圧を利用して供血者から血液バッグ２００内への採血を行う。採血装置１０は、ディスプレイ２６を角度変更可能に支持するディスプレイ支持部３６を備え、ディスプレイ支持部３６によるディスプレイ２６の角度変更範囲は、ディスプレイ２６の表示面２６ａが水平方向よりも上向きになるような角度を含む。【選択図】図１
2020199103.tif 000002
【特許請求の範囲】
【請求項１】
血液バッグを収容する筐体の外側面に表示部が位置し、負圧を利用して供血者から前記血液バッグ内への採血を行う採血装置であって、
前記表示部を角度変更可能に支持する表示部支持部を備え、
前記表示部支持部による前記表示部の角度変更範囲は、前記表示部の表示面が水平方向よりも上向きになるような角度を含む、採血装置。
【請求項２】
請求項１記載の採血装置であって、
前記表示部支持部は、前記筐体の外側面のうち前記表示部が位置する基準面よりも前記表示面が上向きになるとともに外方に突出した突出位置と前記表示面が前記基準面と略平行になる収納位置とに変位可能に前記表示部を支持する、採血装置。
【請求項３】
請求項２記載の採血装置であって、
前記基準面には、前記表示部が収容される凹部が形成され、
前記表示部の下端部は、前記突出位置で前記凹部よりも外側に位置している、採血装置。
【請求項４】
請求項３記載の採血装置であって、
前記表示面と前記基準面とは、前記収納位置で互いに面一になっている、採血装置。
【請求項５】
請求項２〜４のいずれか１項に記載の採血装置であって、
前記基準面は、上方に向かって前記筐体の内側に傾斜している、採血装置。
【請求項６】
請求項２〜４のいずれか１項に記載の採血装置であって、
採血作業者に関する情報を取得する情報取得部と、
前記情報取得部が取得した前記情報に基づいて設定表示角度を設定する角度設定部と、
前記基準面と前記表示面とのなす角度である表示角度が前記設定表示角度になるように前記表示部支持部の動作を制御する角度制御部と、を備える、採血装置。
【請求項７】
請求項６記載の採血装置であって、
前記角度制御部は、前記採血装置の電源スイッチがオンされた際に、前記表示部が前記収納位置から前記突出位置に変位するように前記表示部支持部の動作を制御する、採血装置。
【請求項８】
請求項６記載の採血装置であって、
前記角度制御部は、電源スイッチがオフされた際に、前記表示部が前記突出位置から前記収納位置に変位するように前記表示部支持部の動作を制御する、採血装置。
【請求項９】
請求項１〜８のいずれか１項に記載の採血装置であって、
前記表示部は、前記採血装置を操作する操作部を兼ねている、採血装置。
【発明の詳細な説明】
【技術分野】
【０００１】
本発明は、採血装置に関する。
【背景技術】
【０００２】
例えば、特許文献１には、筐体に形成された収容室内に設けられたトレーに血液バッグを配置した状態で収容室内を負圧にすることにより供血者から血液バッグへの採血を行う採血装置（真空採血装置）が開示されている。この採血装置では、筐体の外側面に表示部（ディスプレイ）が固定されている。
【先行技術文献】
【特許文献】
【０００３】
【特許文献１】特許第５７８５４２３号公報
【発明の概要】
【発明が解決しようとする課題】
【０００４】
ところで、献血用のバス等の自動車内で採血を行う場合、作業スペースが限られているため、採血装置は、採血ベッドと採血作業エリアとを仕切る作業棚に固定されて使用されることが多い。しかしながら、上述した従来の採血装置では、作業棚に固定された状態でディスプレイを角度変更することができない。
【０００５】
そのため、採血作業者の身長差によって、ディスプレイの表示面の見え方が異なる。つまり、例えば、比較的身長の高い採血作業者は、立ち姿勢でディスプレイの表示面を当該表示面に対して垂直な方向から見ることができないことがある。このような場合、当該採血作業者は、ディスプレイの表示面を当該表示面に対して垂直な方向から見るために、腰を屈める必要があり、身体的な負担がかかる。
【０００６】
本発明は、このような課題を考慮してなされたものであり、採血作業者の身長差によらず身体的な負担を抑えながら表示部の表示面を良好に視認することができる採血装置を提供することを目的とする。
【課題を解決するための手段】
【０００７】
本発明の一態様は、血液バッグを収容する筐体の外側面に表示部が位置し、負圧を利用して供血者から前記血液バッグ内への採血を行う採血装置であって、前記表示部を角度変更可能に支持する表示部支持部を備え、前記表示部支持部による前記表示部の角度変更範囲は、前記表示部の表示面が水平方向よりも上向きになるような角度を含む、採血装置である。
【発明の効果】
【０００８】
本発明によれば、表示部支持部によって採血作業者の身長に応じて表示部の角度を変更することができる。そのため、比較的身長の高い採血作業者であっても、腰を屈めることなく、立ち姿勢で表示部の表示面を当該表示面に対して直交する方向から見ることができる。よって、採血作業者の身長差によらず身体的な負担を抑えながら表示部の表示面を良好に視認することができる。
【図面の簡単な説明】
【０００９】
【図１】本発明の一実施形態に係る採血装置の斜視図である。
【図２】図１の採血装置において、ディスプレイを収納位置に位置させた状態を示す斜視図である。
【図３】図１の採血装置の操作パネルの一部省略縦断面図である。
【図４】図１の採血装置の内部のブロック説明図である。
【図５】図１の採血装置の動作を説明するためのフローチャートである。
【発明を実施するための形態】
【００１０】
以下、本発明に係る採血装置について好適な実施形態を挙げ、添付の図面を参照しながら説明する。
【００１１】
本発明の一実施形態に係る採血装置１０は、例えば、献血用のバス等の自動車内の比較的狭い作業スペースに設置されるものである。ただし、採血装置１０は、病院等の比較的広い作業スペースに設置されてもよい。採血装置１０は、負圧を利用して供血者から血液バッグ２００内への採血を行う真空採血装置として構成されている。
【００１２】
図１に示すように、採血装置１０は、血液バッグ２００を収容するための収容室１２が形成された箱形の筐体１４と、筐体１４の上部に開閉可能に設けられた蓋体１６とを備える。収容室１２内には、血液バッグ２００を載置するためのトレー１８が配置されている。トレー１８は、血液バッグ２００内に予め収容された抗血液凝固剤と供血者から採取した血液とを混和させるために、揺動可能に設けられている。採血装置１０は、採血時に収容室１２内を負圧にする。
【００１３】
蓋体１６は、閉状態でトレー１８に載置された血液バッグ２００を上方から覆う。蓋体１６は、採血中の血液バッグ２００を外部から蓋体１６を介して視認することができるように、透明に構成されるのが好ましい。蓋体１６には、血液バッグ２００に接続されたチューブ２０２を外部に導出させた状態でクランプ（保持）するチューブホルダ２０が設けられている。
【００１４】
筐体１４は、前後方向（矢印Ａ方向）に沿った長さ寸法が左右方向（矢印Ｂ方向）に沿った幅寸法よりも長い。ただし、筐体１４は、長さ寸法が幅寸法よりも短くてもよい。筐体１４の外側面（矢印Ａ１方向に位置する正面）には、操作パネル２２が設けられている。操作パネル２２の外面には、平坦な基準面２２ａが設けられている。基準面２２ａは、上方に向かって筐体１４の内側（矢印Ａ２方向）に傾斜している。
【００１５】
図３において、鉛直線Ｌに対する傾斜面の傾斜角度θ１は、例えば、３０°以下の範囲で設定するのが好ましい。傾斜角度θ１が３０°以下であると、筐体１４の前後方向の長さを効果的に抑えることができる。なお、傾斜角度θ１は、適宜設定してよい。また、基準面２２ａは、鉛直線Ｌ（鉛直方向）に沿って延在してもよい。
【００１６】
図１に示すように、操作パネル２２には、電源スイッチ２３、操作スイッチ２４及びディスプレイ２６（表示部）が設けられている。操作スイッチ２４は、例えば、機械式のボタンスイッチとして形成される。ただし、操作スイッチ２４は、ボタンスイッチに限定されない。
【００１７】
本実施形態において、操作スイッチ２４は、例えば、開始／停止スイッチ３０、クランプ解除スイッチ３２を含む。開始／停止スイッチ３０は、採血の開始及び停止をするためのものである。クランプ解除スイッチ３２は、チューブホルダ２０によるチューブ２０２のクランプを解除するためのものである。
【００１８】
ディスプレイ２６は、いわゆるフルドット液晶タイプであって、タッチパネル機能を備えている。すなわち、ディスプレイ２６は、採血装置１０を操作する操作部を兼ねている。ディスプレイ２６は、横長の長方形状の平坦な表示面２６ａ（画面）を有する。
【００１９】
図３に示すように、ディスプレイ２６は、操作パネル２２に形成された四角形状の凹部３４内に収容される。ディスプレイ２６の厚さは、ディスプレイ２６の下方に向かって厚くなるように形成されている。ディスプレイ２６は、側方から見て台形状に形成されている。
【００２０】
図１及び図３において、採血装置１０は、ディスプレイ２６を角度変更可能に支持するディスプレイ支持部３６を備える。ディスプレイ支持部３６によるディスプレイ２６の角度変更範囲は、ディスプレイ２６の表示面２６ａが水平方向よりも上向きになるような角度を含む。ディスプレイ支持部３６は、表示面２６ａが基準面２２ａよりも上方に向くとともに外方に突出する突出位置（図１及び図３の実線で示したディスプレイ２６を参照）と表示面２６ａが基準面２２ａと略平行になる収納位置（図２及び図３の仮想線で示したディスプレイ２６を参照）とに変位可能にディスプレイ２６を支持する。図３に示すように、基準面２２ａと表示面２６ａとのなす表示角度θ２の上限値は、２０°である。この場合、ディスプレイ２６の基準面２２ａからの最大突出長を効果的に抑えられる。ただし、表示角度θ２の上限値は、９０°以下の範囲で適宜変更可能である。
【００２１】
図１及び図３において、ディスプレイ支持部３６は、ディスプレイ２６の上端部に設けられた軸部３６ａと、軸部３６ａを回動させるモータ３６ｂとを有する。軸部３６ａは、ディスプレイ２６の長手方向（採血装置１０の幅方向）に沿って延在している。モータ３６ｂは操作パネル２２に設けられている。ディスプレイ支持部３６の構成は、適宜変更可能である。
【００２２】
突出位置において、ディスプレイ２６の下端部は、凹部３４の外側に位置（突出）している。この際、ディスプレイ２６の背面の全体が凹部３４内に位置する。これにより、突出位置において、ディスプレイ２６と凹部３４との間に大きな隙間が形成されることが抑制される。つまり、突出位置において、凹部３４内に異物が入り込むことを抑えることができる。
【００２３】
図２に示すように、収納位置において、ディスプレイ２６の表示面２６ａは、基準面２２ａに対して面一になる。つまり、収納位置において、ディスプレイ２６は、凹部３４の外側に突出していない。
【００２４】
詳細な図示は省略するが、ディスプレイ２６の表示面２６ａには、採血量設定スイッチ、バッグ種類設定スイッチ、血流量設定スイッチ、表示角度調整スイッチ等が画像形式ボタンとして表示される。
【００２５】
採血量設定スイッチは、採血量（２００ｍＬ、４００ｍＬ）を設定するためのものである。バッグ種類設定スイッチは、血液バッグ２００の種類を設定するためのものである。血流量設定スイッチは、採血速度を設定するためのスイッチである。表示角度調整スイッチは、表示角度θ２を調整するためのものである。
【００２６】
なお、ディスプレイ２６の表示面２６ａには、機械式のボタンスイッチに代えて、開始／停止スイッチ３０及びクランプ解除スイッチ３２を画像形式ボタンとして表示してもよい。また、ディスプレイ２６の表示面２６ａには、採血中の採血速度、採血中の採血量、採血残量等を表示することができる。ディスプレイ２６による入力形式は、タッチパネル式に限定されない。
【００２７】
図４に示すように、採血装置１０の内部には、制御部４０が設けられている。制御部４０は、ＣＰＵ等のプロセッサとメモリ等を有するコンピュータで構成される。制御部４０は、ＣＰＵがメモリに記憶されているプログラムを読み出し実行することで各種機能実現部として機能する。
【００２８】
制御部４０には、操作スイッチ２４及び電源スイッチ２３の出力信号が入力される。制御部４０には、採血作業者に関する情報（例えば、ＩＤ情報等）を取得する情報取得部４２の出力信号が入力される。情報取得部４２は、例えば、採血作業者のＩＤ情報を示す二次元コード又はバーコードを読み取るリーダである。なお、情報取得部４２は、採血作業者の携帯端末等に無線又は有線で接続することにより採血作業者のＩＤ情報を取得してもよい。
【００２９】
制御部４０は、角度設定部４４及び角度制御部４６を有する。角度設定部４４は、情報取得部４２が取得した採血作業者に関する情報に基づいて設定表示角度θｂを設定する。角度制御部４６は、ディスプレイ支持部３６の動作を制御する。
【００３０】
次に、採血装置１０の動作について説明する。
【００３１】
図５に示すように、まず、ステップＳ１において、採血作業者は、採血装置１０の電源スイッチ２３をオンにする。そうすると、ステップＳ２において、角度制御部４６は、表示角度θ２が初期表示角度θａになるようにディスプレイ支持部３６の動作を制御する（ディスプレイ２６を傾動させる）。これにより、ディスプレイ２６が軸部３６ａを中心に回転するため、ディスプレイ２６の下端部が凹部３４よりも外側（前方）に突出する。すなわち、ディスプレイ２６の表示面２６ａが基準面２２ａよりも上向きになる。従って、採血作業者は、立ち姿勢でディスプレイ２６の表示面２６ａを表示面２６ａと直交する方向から見易くなる。
【００３２】
ここで、初期表示角度θａは、制御部４０のメモリに予め記憶されている。初期表示角度θａは、例えば、１０°である。ただし、初期表示角度θａは、適宜変更可能である。
【００３３】
続いて、ステップＳ３において、制御部４０は、電源スイッチ２３がオフにされたか否かを判定する。電源スイッチ２３がオフにされていない（電源スイッチ２３がオン状態のままである）場合（ステップＳ３：ＮＯ）、ステップＳ４において、制御部４０は、情報取得部４２が採血作業者に関する情報（例えば、ＩＤ情報）を取得したか否かを判定する。
【００３４】
採血作業者に関する情報を取得していない場合（ステップＳ４：ＮＯ）、ステップＳ３に戻る。採血作業者に関する情報を取得した場合（ステップＳ４：ＹＥＳ）、ステップＳ５において、角度設定部４４は、情報取得部４２が取得した情報に基づいて採血作業者の身長に適した設定表示角度θｂを設定する。
【００３５】
具体的に、角度設定部４４は、採血作業者のＩＤ情報と設定表示角度θｂとの関係を示すマップに基づいて設定表示角度θｂを設定する。マップは、制御部４０のメモリに予め記憶されている。角度設定部４４は、採血作業者の身長が高いほど設定表示角度θｂを大きく設定する。
【００３６】
その後、ステップＳ６において、角度制御部４６は、表示角度θ２が角度設定部４４によって設定された設定表示角度θｂになるようにディスプレイ支持部３６の動作を制御する（ディスプレイ２６を傾動させる）。これにより、表示角度θ２が採血作業者の身長に適した角度になるため、採血作業者は、立ち姿勢でディスプレイ２６の表示面２６ａを表示面２６ａと直交する方向から見易くなる。ステップＳ６の処理の後、ステップＳ３に戻る。
【００３７】
なお、ステップＳ６の後、採血作業者は、ディスプレイ２６の表示面２６ａに表示されている表示角度調整スイッチを操作して表示角度θ２を微調整してもよい。
【００３８】
ステップＳ３において、電源スイッチ２３がオフにされた場合（ステップＳ３：ＹＥＳ）、ステップＳ７において、角度制御部４６は、表示角度θ２が０°になるようにディスプレイ支持部３６の動作を制御する。これにより、ディスプレイ２６が収納位置に位置するため、採血装置１０をコンパクト化することができる。その後、一連の処理を終了する。
【００３９】
この場合、本実施形態に係る採血装置１０は、以下の効果を奏する。
【００４０】
採血装置１０は、ディスプレイ２６を角度変更可能に支持するディスプレイ支持部３６を備える。ディスプレイ支持部３６によるディスプレイ２６の角度変更範囲は、ディスプレイ２６の表示面２６ａが水平方向よりも上向きになるような角度を含む。
【００４１】
このような構成によれば、ディスプレイ支持部３６によって採血作業者の身長に応じてディスプレイ２６の角度を変更することができる。そのため、比較的身長の高い採血作業者であっても、腰を屈めることなく、立ち姿勢でディスプレイ２６の表示面２６ａを当該表示面２６ａに対して直交する方向から見ることができる。よって、血液作業者の身長差によらず身体的な負担を抑えながらディスプレイ２６の表示面２６ａを良好に視認することができる。
【００４２】
ディスプレイ支持部３６は、筐体１４の外側面のうちディスプレイ２６が位置する基準面２２ａよりも表示面２６ａが上向きになるとともに外方に突出した突出位置と表示面２６ａが基準面２２ａと略平行になる収納位置とに変位可能にディスプレイ２６を支持する。
【００４３】
このような構成によれば、突出位置で表示面２６ａを視認し易くすることができ、収納位置で採血装置１０をコンパクトにすることができる。
【００４４】
基準面２２ａには、ディスプレイ２６が収容される凹部３４が形成され、ディスプレイ２６の下端部は、突出位置で凹部３４よりも外側に位置している。
【００４５】
このような構成によれば、簡易な構成でディスプレイ２６の表示面２６ａを基準面２２ａよりも上向きにすることができる。
【００４６】
表示面２６ａと基準面２２ａとは、収納位置で互いに面一になっている。
【００４７】
このような構成によれば、ディスプレイ２６の収納位置で採血装置１０を一層コンパクトにすることができる。
【００４８】
基準面２２ａは、上方に向かって筐体１４の内側に傾斜している。
【００４９】
このような構成によれば、表示面２６ａを一層視認し易くすることができる。
【００５０】
採血装置１０は、採血作業者に関する情報を取得する情報取得部４２と、情報取得部４２が取得した情報に基づいて設定表示角度θｂを設定する角度設定部４４と、基準面２２ａと表示面２６ａとのなす角度である表示角度θ２が設定表示角度θｂになるようにディスプレイ支持部３６の動作を制御する角度制御部４６と、を備える。
【００５１】
このような構成によれば、表示角度θ２を採血作業者の身長に応じた角度に効率的に調整することができる。
【００５２】
角度制御部４６は、採血装置１０の電源スイッチ２３がオンされた際に、ディスプレイ２６が収納位置から突出位置に変位するようにディスプレイ支持部３６の動作を制御する。
【００５３】
このような構成によれば、採血装置１０の電源スイッチ２３がオンされた際に、表示面２６ａを視認し易くすることができる。
【００５４】
角度制御部４６は、電源スイッチ２３がオフされた際に、ディスプレイ２６が突出位置から収納位置に変位するようにディスプレイ支持部３６の動作を制御する。
【００５５】
このような構成によれば、採血装置１０の電源スイッチ２３がオフされた際に、ディスプレイ２６を確実に収納位置に位置させることができる。
【００５６】
本発明は上述した実施形態に限定されるものではなく、本発明の要旨を逸脱しない範囲において、種々の改変が可能である。
【００５７】
ディスプレイ支持部３６は、表示角度θ２を手動で変更できるように構成されてもよい。
【００５８】
以上の実施施形態をまとめると、以下のようになる。
【００５９】
上記実施形態は、血液バッグ（２００）を収容する筐体（１４）の外側面に表示部（２６）が位置し、負圧を利用して供血者から前記血液バッグ内への採血を行う採血装置（１０）であって、前記表示部を角度変更可能に支持する表示部支持部（３６）を備え、前記表示部支持部による前記表示部の角度変更範囲は、前記表示部の表示面（２６ａ）が水平方向よりも上向きになるような角度を含む、採血装置を開示している。
【００６０】
上記の採血装置において、前記表示部支持部は、前記筐体の外側面のうち前記表示部が位置する基準面（２２ａ）よりも前記表示面が上向きになるとともに外方に突出した突出位置と前記表示面が前記基準面と略平行になる収納位置とに変位可能に前記表示部を支持してもよい。
【００６１】
上記の採血装置において、前記基準面には、前記表示部が収容される凹部（３４）が形成され、前記表示部の下端部は、前記突出位置で前記凹部よりも外側に位置してもよい。
【００６２】
上記の採血装置において、前記表示面と前記基準面とは、前記収納位置で互いに面一になってもよい。
【００６３】
上記の採血装置において、前記基準面は、上方に向かって前記筐体の内側に傾斜してもよい。
【００６４】
上記の採血装置において、採血作業者に関する情報を取得する情報取得部（４２）と、前記情報取得部が取得した前記情報に基づいて設定表示角度（θｂ）を設定する角度設定部（４４）と、前記基準面と前記表示面とのなす角度である表示角度（θ２）が前記設定表示角度になるように前記表示部支持部の動作を制御する角度制御部（４６）と、を備えてもよい。
【００６５】
上記の採血装置において、前記角度制御部は、前記採血装置の電源スイッチ（２３）がオンされた際に、前記表示部が前記収納位置から前記突出位置に変位するように前記表示部支持部の動作を制御してもよい。
【００６６】
上記の採血装置において、前記角度制御部は、前記電源スイッチがオフされた際に、前記表示部が前記突出位置から前記収納位置に変位するように前記表示部支持部の動作を制御してもよい。
【００６７】
上記の採血装置において、前記表示部は、前記採血装置を操作する操作部を兼ねてもよい。
【符号の説明】
【００６８】
１０…採血装置                          １２…収容室
１４…筐体                              ２２…操作パネル
２２ａ…基準面                          ２３…電源スイッチ
２６…ディスプレイ（表示部）            ２６ａ…表示面
３６…ディスプレイ支持部（表示部支持部）
４２…情報取得部                        ４４…角度設定部
４６…角度制御部                        θ２…表示角度
【図１】
2020199103.tif 000003
【図２】
2020199103.tif 000004
【図３】
2020199103.tif 000005
【図４】
2020199103.tif 000006
【図５】
2020199103.tif 000007